(57)【特許請求の範囲】
【請求項１】
細菌、ウイルスの含まれた医療廃水に対する処理装置であって、ベースと前記ベースに固定された本体とを含み、前記本体の中には濾過空間が設置され、前記濾過空間の中には回転輪が回転可能に設置され、前記回転輪の外周には濾過ファンが固定的に設置され、前記濾過空間の頂部には廃水入り口が連通するように設置され、前記廃水入り口の中には上下にスライドできる押し動かし棒が設置され、前記押し動かし棒は雑物が廃水入り口を塞ぐのを防止し、雑物を濾過空間の中に入らせる事ができ、前記濾過空間の右側には水空間が設置され、前記水空間の中には撹拌輪が回転可能に設置され、前記撹拌輪は水空間の中の廃水をかき回すことができ、前記水空間の頂壁には紫外線発生器が固定的に設置され、前記紫外線発生器は前記水空間の中の廃水に紫外線で照射して殺菌することができ、前記水空間と前記濾過空間とが管路により連通され、前記管路の中には水ポンプが固定的に設置され、前記水空間の頂部には動力空間が設置され、前記動力空間の中には切換スライドブロックがスライド可能に設置され、前記切換スライドブロックを上方に移動させて前記押し動かし棒を上下にスライドさせることと、前記切換スライドブロックを下方に移動させて止板の上方への移動、前記回転輪の回転、前記撹拌輪の回転、及び破砕ローラーの回転を行うことを切り換え、前記切換スライドブロックの中には動力モータが固定的に嵌められ、前記動力モータは前記回転輪と前記撹拌輪との回転、及び前記押し動かし棒の上下へのスライドを制御でき、前記濾過空間の底部には破砕空間が設置され、前記破砕空間の中には回転可能の二つの前記破砕ローラーが位置的に前後対称に設けられ、前記濾過空間から落ちる固体雑物が前記破砕ローラーに破砕されてから落下し、前記管路と前記動力空間との間には前記水空間の左側に位置する前記止板がスライド可能に設置され、前記止板は前記管路を封閉でき、前記止板の上下への移動と前記切換スライドブロックの上下へのスライドはいずれも前記動力空間の後壁の中に固定的に嵌められた切換モータにより制御されることを特徴とする細菌、ウイルスの含まれた医療廃水に対する処理装置。
【請求項２】
前記廃水入り口の左側には蓋がスライドできるように設置され、前記蓋は前記廃水入り口の頂部を封閉し、匂いが前記廃水入り口の頂部から出ることを防止でき、前記本体の頂部には頂部台が固定的に設置され、前記押し動かし棒の上端が前記頂部台の中にスライド可能に設置され、前記頂部台の左側面には復帰機構が設置され、前記復帰機構は前記押し動かし棒を移動させて初期位置に戻すことができ、前記頂部台の中には従動空間が設置され、前記従動空間の中には扇形歯車が回転可能に設置され、前記従動空間の底面にはスライド板がスライド可能に設置され、前記スライド板の左側と前記押し動かし棒の頂端とがリンクにより連結され、前記扇形歯車と前記スライド板とが噛み合っていることを特徴とする請求項１に記載の細菌、ウイルスの含まれた医療廃水に対する処理装置。
【請求項３】
前記切換モータの前側には切換歯車が伝動可能に連結され、前記切換歯車と前記切換スライドブロックとが噛み合っており、前記切換歯車の前側と前記止板とが引き糸により連結され、前記動力モータの右端には両面傘歯車が伝動可能に連結され、前記動力空間の頂壁の中には上下に延びた縦軸が回転可能に設置され、前記縦軸の底端には第一傘歯車が固定的に設置され、前記第一傘歯車は前記両面傘歯車と噛み合うことができ、前記縦軸の頂端には第二傘歯車が固定的に設置され、前記第二傘歯車が前記扇形歯車と噛み合っており、前記動力空間の底壁の中には上下に延びた従動軸が回転可能に設置され、前記従動軸の頂端には第三傘歯車が固定的に設置され、前記第三傘歯車は前記両面傘歯車と噛み合うことができ、前記水空間の底部には底空間が設置され、前側に位置する前記破砕ローラーの右側の延びた部分が前記底空間の中に延びており、かつ前記破砕ローラーの右端が前記従動軸の底端と伝動可能に連結され、二つの前記破砕ローラーが破砕歯車により連結されていることを特徴とする請求項２に記載の細菌、ウイルスの含まれた医療廃水に対する処理装置。
【請求項４】
前記従動軸の外周には第四傘歯車が固定的に設置され、前記回転輪の後端には第五傘歯車が固定的に設置され、前記第五傘歯車と前記第四傘歯車との間には横軸が回転可能に設置され、前記横軸の左側と前記第五傘歯車とが伝動可能に連結され、前記横軸の右端と前記第四傘歯車とが伝動可能に連結されていることを特徴とする請求項３に記載の細菌、ウイルスの含まれた医療廃水に対する処理装置。
【請求項５】
前記従動軸の外周には第六傘歯車が固定的に設置され、前記第六傘歯車が前記第四傘歯車の底部に位置し、前記撹拌輪の後端には第七傘歯車が固定的に設置され、前記第七傘歯車と前記第六傘歯車とが噛み合っていることを特徴とする請求項４に記載の細菌、ウイルスの含まれた医療廃水に対する処理装置。
【発明の詳細な説明】
【技術分野】
【０００１】
本願発明は廃水処理技術分野に関し、具体的には細菌、ウイルスの含まれた医療廃水に対する処理装置に関する。
【背景技術】
【０００２】
医療廃水の中には細菌やウイルスが多量含まれており、殺菌抜きで排出すると環境汚染になる上に、細菌の拡散を招き、生物を感染させる可能性が極めて大きい。一般的には紫外線で医療廃水を照射して殺菌を行うが、廃水の中に照射されにくい固体廃物がよくあるため、予め砕かなきゃ集中に殺菌処理をするのが難しい。
【先行技術文献】
【特許文献】
【０００３】
【特許文献１】中国特許出願公開第１０２０６０３４３号明細書
【発明の概要】
【発明が解決しようとする課題】
【０００４】
本願発明の目的は細菌、ウイルスの含まれた医療廃水に対する処理装置を提供し、現有技術の上記欠点を解決する。
【課題を解決するための手段】
【０００５】
細菌、ウイルスの含まれた医療廃水に対する処理装置であって、ベースと前記ベースに固定された本体とを含み、前記本体の中には濾過空間が設置され、前記濾過空間の中には回転輪が回転可能に設置され、前記回転輪の外周には濾過ファンが固定的に設置され、前記濾過空間の頂部には廃水入り口が連通するように設置され、前記廃水入り口の中には上下にスライドできる押し動かし棒が設置され、前記押し動かし棒は雑物が廃水入り口を塞ぐのを防止し、雑物を濾過空間の中に入らせる事ができ、前記濾過空間の右側には水空間が設置され、前記水空間の中には撹拌輪が回転可能に設置され、前記撹拌輪は水空間の中の廃水をかき回すことができ、前記水空間の頂壁には紫外線発生器が固定的に設置され、前記紫外線発生器は前記水空間の中の廃水に紫外線で照射して殺菌することができ、前記水空間と前記濾過空間とが管路により連通され、前記管路の中には水ポンプが固定的に設置され、前記水空間の頂部には動力空間が設置され、前記動力空間の中には切換スライドブロックがスライド可能に設置され、前記切換スライドブロックを上方に移動させて前記押し動かし棒を上下にスライドさせることと、前記切換スライドブロックを下方に移動させて止板の上方への移動、前記回転輪の回転、前記撹拌輪の回転、及び破砕ローラーの回転を行うことを切り換え、前記切換スライドブロックの中には動力モータが固定的に嵌められ、前記動力モータは前記回転輪と前記撹拌輪との回転、及び前記押し動かし棒の上下へのスライドを制御でき、前記濾過空間の底部には破砕空間が設置され、前記破砕空間の中には回転可能の二つの前記破砕ローラーが位置的に前後対称に設けられ、前記濾過空間から落ちる固体雑物が前記破砕ローラーに破砕されてから落下し、前記管路と前記動力空間との間には前記水空間の左側に位置する前記止板がスライド可能に設置され、前記止板は前記管路を封閉でき、前記止板の上下への移動と前記切換スライドブロックの上下へのスライドはいずれも前記動力空間の後壁の中に固定的に嵌められた切換モータにより制御される。
【０００６】
有益的に、前記廃水入り口の左側には蓋がスライドできるように設置され、前記蓋は前記廃水入り口の頂部を封閉し、匂いが前記廃水入り口の頂部から出ることを防止でき、前記本体の頂部には頂部台が固定的に設置され、前記押し動かし棒の上端が前記頂部台の中にスライド可能に設置され、前記頂部台の左側面には復帰機構が設置され、前記復帰機構は前記押し動かし棒を移動させて初期位置に戻すことができ、前記頂部台の中には従動空間が設置され、前記従動空間の中には扇形歯車が回転可能に設置され、前記従動空間の底面にはスライド板がスライド可能に設置され、前記スライド板の左側と前記押し動かし棒の頂端とがリンクにより連結され、前記扇形歯車と前記スライド板とが噛み合っている。
【０００７】
有益的に、前記切換モータの前側には切換歯車が伝動可能に連結され、前記切換歯車と前記切換スライドブロックとが噛み合っており、前記切換歯車の前側と前記止板とが引き糸により連結され、前記動力モータの右端には両面傘歯車が伝動可能に連結され、前記動力空間の頂壁の中には上下に延びた縦軸が回転可能に設置され、前記縦軸の底端には第一傘歯車が固定的に設置され、前記第一傘歯車は前記両面傘歯車と噛み合うことができ、前記縦軸の頂端には第二傘歯車が固定的に設置され、前記第二傘歯車が前記扇形歯車と噛み合っており、前記動力空間の底壁の中には上下に延びた従動軸が回転可能に設置され、前記従動軸の頂端には第三傘歯車が固定的に設置され、前記第三傘歯車は前記両面傘歯車と噛み合うことができ、前記水空間の底部には底空間が設置され、前側に位置する前記破砕ローラーの右側の延びた部分が前記底空間の中に延びており、かつ前記破砕ローラーの右端が前記従動軸の底端と伝動可能に連結され、二つの前記破砕ローラーが破砕歯車により連結されている。
【０００８】
有益的に、前記従動軸の外周には第四傘歯車が固定的に設置され、前記回転輪の後端には第五傘歯車が固定的に設置され、前記第五傘歯車と前記第四傘歯車との間には横軸が回転可能に設置され、前記横軸の左側と前記第五傘歯車とが伝動可能に連結され、前記横軸の右端と前記第四傘歯車とが伝動可能に連結されている。
【０００９】
有益的に、前記従動軸の外周には第六傘歯車が固定的に設置され、前記第六傘歯車が前記第四傘歯車の底部に位置し、前記撹拌輪の後端には第七傘歯車が固定的に設置され、前記第七傘歯車と前記第六傘歯車とが噛み合っている。
【発明の効果】
【００１０】
本願発明の有益効果は：本願発明は押し動かし棒の上下へのスライドで、廃水及び廃水中の固体物体が廃水入り口の底部の出口を塞ぐのを防止でき、また、濾過ファンの回転により、廃水と廃水中の固体物体を分離させ、破砕ローラーの回転により固体物体を砕き、撹拌輪の回転により水空間の中の廃水をかき回し、紫外線発生器が水空間の中の廃水に対して行う紫外線照射殺菌の効率を高め、また、撹拌輪と濾過ファンと破砕ローラーの回転と押し動かし棒の上下方向でのスライドはいずれも同じ動力源に駆動され、コストが削減されるうえに、本願発明は構造が簡単で、伝動が安定で、操作が便利である。
【図面の簡単な説明】
【００１１】
下記に図１〜６をあわせて本発明について詳しく説明し、便利に説明するために、下記の方向を以下のように規定する：図１は本発明装置の正面図であり、本願に記載の各方向が、図１と同じ向きに装置を見た際の方向である。
【００１２】
【図１】図１は本願発明の内部全体構成図
【図２】図２は本願発明の従動軸の局部断面図
【図３】図３は本願発明の第七傘歯車の局部断面図
【図４】図４は本願発明の破砕ローラーの上面図
【図５】図５は本願発明のスライド板の概略図
【図６】図６は本願発明の切換モータの概略図
【発明を実施するための形態】
【００１３】
図１〜６の示したように、細菌、ウイルスの含まれた医療廃水に対する処理装置であって、ベース１０と前記ベース１０に固定された本体１１とを含み、前記本体１１の中には濾過空間１６が設置され、前記濾過空間１６の中には回転輪１７が回転可能に設置され、前記回転輪１７の外周には濾過ファン１５が固定的に設置され、前記濾過空間１６の頂部には廃水入り口７０が連通するように設置され、前記廃水入り口７０の中には上下にスライドできる押し動かし棒４５が設置され、前記押し動かし棒４５は雑物が廃水入り口７０を塞ぐのを防止し、雑物を濾過空間１６の中に入らせる事ができ、前記濾過空間１６の右側には水空間２６が設置され、前記水空間２６の中には撹拌輪２５が回転可能に設置され、前記撹拌輪２５は水空間２６の中の廃水をかき回すことができ、前記水空間２６の頂壁には紫外線発生器２９が固定的に設置され、前記紫外線発生器２９は前記水空間２６の中の廃水に紫外線で照射して殺菌することができ、前記水空間２６と前記濾過空間１６とが管路２０により連通され、前記管路２０の中には水ポンプ２７が固定的に設置され、前記水空間２６の頂部には動力空間３３が設置され、前記動力空間３３の中には切換スライドブロック６０がスライド可能に設置され、前記切換スライドブロック６０を上方に移動させて前記押し動かし棒４５を上下にスライドさせることと、前記切換スライドブロック６０を下方に移動させて止板１９の上方への移動、前記回転輪１７の回転、前記撹拌輪２５の回転、及び破砕ローラー２３の回転を行うことを切り換え、前記切換スライドブロック６０の中には動力モータ７２が固定的に嵌められ、前記動力モータ７２は前記回転輪１７と前記撹拌輪２５との回転、及び前記押し動かし棒４５の上下へのスライドを制御でき、前記濾過空間１６の底部には破砕空間２４が設置され、前記破砕空間２４の中には回転可能の二つの前記破砕ローラー２３が位置的に前後対称に設けられ、前記濾過空間１６から落ちる固体雑物が前記破砕ローラー２３に破砕されてから落下し、前記管路２０と前記動力空間３３との間には前記水空間２６の左側に位置する前記止板１９がスライド可能に設置され、前記止板１９は前記管路２０を封閉でき、前記止板１９の上下への移動と前記切換スライドブロック６０の上下へのスライドはいずれも前記動力空間３３の後壁の中に固定的に嵌められた切換モータ６３により制御される。
【００１４】
有益的に、前記廃水入り口７０の左側には蓋１３がスライドできるように設置され、前記蓋１３は前記廃水入り口７０の頂部を封閉し、匂いが前記廃水入り口７０の頂部から出ることを防止でき、前記本体１１の頂部には頂部台１４が固定的に設置され、前記押し動かし棒４５の上端が前記頂部台１４の中にスライド可能に設置され、前記頂部台１４の左側面には復帰機構４２が設置され、前記復帰機構４２は前記押し動かし棒４５を移動させて初期位置に戻すことができ、前記頂部台１４の中には従動空間３９が設置され、前記従動空間３９の中には扇形歯車３７が回転可能に設置され、前記従動空間３９の底面にはスライド板４４がスライド可能に設置され、前記スライド板４４の左側と前記押し動かし棒４５の頂端とがリンク４３により連結され、前記扇形歯車３７と前記スライド板４４とが噛み合っており、前記扇形歯車３７の回転により、前記スライド板４４がスライドして前記押し動かし棒４５を上下に移動連動させる。
【００１５】
有益的には、前記切換モータ６３の前側には切換歯車５９が伝動可能に連結され、前記切換歯車５９と前記切換スライドブロック６０とが噛み合っており、前記切換歯車５９の前側と前記止板１９とが引き糸７７により連結され、前記動力モータ７２の右端には両面傘歯車５８が伝動可能に連結され、前記動力空間３３の頂壁の中には上下に延びた縦軸４０が回転可能に設置され、前記縦軸４０の底端には第一傘歯車５７が固定的に設置され、前記第一傘歯車５７は前記両面傘歯車５８と噛み合うことができ、前記縦軸４０の頂端には第二傘歯車３８が固定的に設置され、前記第二傘歯車３８が前記扇形歯車３７と噛み合っており、前記動力空間３３の底壁の中には上下に延びた従動軸３０が回転可能に設置され、前記従動軸３０の頂端には第三傘歯車３１が固定的に設置され、前記第三傘歯車３１は前記両面傘歯車５８と噛み合うことができ、前記水空間２６の底部には底空間２２が設置され、前側に位置する前記破砕ローラー２３の右側の延びた部分が前記底空間２２の中に延びており、かつ前記破砕ローラー２３の右端が前記従動軸３０の底端と伝動可能に連結され、二つの前記破砕ローラー２３が破砕歯車２１により連結され、前記従動軸３０の作動により、前記破砕ローラー２３が回転すると同時に前記切換モータ６３が作動して前記切換スライドブロック６０を上下にスライドさせることで、前記両面傘歯車５８はそれぞれ前記第一傘歯車５７又は前記第三傘歯車３１と噛み合うことができる。
【００１６】
有益的には、前記従動軸３０の外周には第四傘歯車５４が固定的に設置され、前記回転輪１７の後端には第五傘歯車５０が固定的に設置され、前記第五傘歯車５０と前記第四傘歯車５４との間には横軸５２が回転可能に設置され、前記横軸５２の左側と前記第五傘歯車５０とが伝動可能に連結され、前記横軸５２の右端と前記第四傘歯車５４とが伝動可能に連結され、前記従動軸３０の回転により、前記横軸５２が前記回転輪１７を旋転連動させる。
【００１７】
有益的に、前記従動軸３０の外周には第六傘歯車６１が固定的に設置され、前記第六傘歯車６１が前記第四傘歯車５４の底部に位置し、前記撹拌輪２５の後端には第七傘歯車６２が固定的に設置され、前記第七傘歯車６２と前記第六傘歯車６１とが噛み合っており、前記従動軸３０の回転により、前記撹拌輪２５が回転して前記水空間２６の中の水をかき回すことで、前記紫外線発生器２９が前記水空間２６の中の廃水を紫外線で照射して殺菌を行うことに便利を与える。
【００１８】
使用する時、まず手動で蓋１３を引き出し、医療廃水を廃水入り口７０から入れ、切換モータ６３を作動させることで、切換歯車５９が回転し、切換スライドブロック６０が上方に移動し、両面傘歯車５８と第一傘歯車５７とが噛み合い、動力モータ７２を作動させると、両面傘歯車５８が第一傘歯車５７を回転連動させることで、縦軸４０が扇形歯車３７を回転連動させ、スライド板４４が左右へスライドし、押し動かし棒４５が上下にスライドすることで、廃水入り口７０の底部が塞ぐのを防止し、そして切換モータ６３を反転させると、切換スライドブロック６０が下方に移動し、この時両面傘歯車５８と第三傘歯車３１とが噛み合うと同時に、止板１９が上方へ上げられて管路２０が開き、動力モータ７２を作動させると両面傘歯車５８が第三傘歯車３１を回転連動させ、従動軸３０が回転し、従動軸３０が横軸５２を回転連動させることで、第五傘歯車５０が回転輪１７を回転連動させ、濾過ファン１５が回転し、固体廃物が濾過ファン１５に連動して破砕空間２４に入り、廃水が管路２０の中に流れ込み、水ポンプ２７を作動させて管路２０の中の廃水を水空間２６の中に入らせ、そして紫外線発生器２９を作動させ、水空間２６の中の廃水に照射すると同時に、従動軸３０が第六傘歯車６１を回転連動させることで、第六傘歯車６１が第七傘歯車６２を回転連動させて撹拌輪２５を回転させ、水空間２６の中の廃水を撹拌し、廃水を照射する効率を上げると同時に、従動軸３０が破砕ローラー２３を回転連動させることで、破砕空間２４の中の固体雑物が砕かれた後に落ちて収集され、集中殺菌に便利を与える。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【要約】
【課題】本発明は生物医療用廃水処理装置を開示した。
【解決手段】ベースと前記ベースに固定された本体とを含み、前記本体の中には濾過空間が設置され、前記濾過空間の中には回転輪が回転可能に設置され、前記回転輪の外周には濾過ファンが固定的に設置され、前記濾過空間の頂部には廃水入り口が連通するように設置され、前記廃水入り口の中には上下にスライドできる押し動かし棒が設置され、前記押し動かし棒は雑物が廃水入り口を塞ぐのを防止し、雑物を濾過空間の中に入らせる事ができ、前記濾過空間の右側には水空間が設置され、前記水空間の中には撹拌輪が回転可能に設置され、前記撹拌輪は水空間の中の廃水をかき回すことができ、前記水空間の頂壁には紫外線発生器が固定的に設置され、前記紫外線発生器は前記水空間の中の廃水に紫外線で照射して殺菌することができる。
【選択図】図１【図１】
0006802426.tif 000002
【図２】
0006802426.tif 000003
【図３】
0006802426.tif 000004
【図４】
0006802426.tif 000005
【図５】
0006802426.tif 000006
【図６】
0006802426.tif 000007